(57)【要約】【課題】靴や足にフィットし靴が履きやすい靴べらを提供する。【解決手段】靴べら１００は、樹脂製で長尺状であり、長さ方向に３重に折り畳まれた状態と、３角形柱の状態とを自在に変形可能な板状部材１１０からなる。板状部材１１０は、長さ方向にｎ重に折り畳まれた状態で、角部１００ａが落ちた形状であることを特徴とする。板状部材１１０を折り畳んだ状態で使用することで、足や靴にフィットし靴が履きやすい。また、３角形柱の状態にして自立させると、靴の中に入れたり靴の外に掛けたりしておくことで目印になり、靴べら１００を靴の間違い防止として利用することができる。また、折り畳まれた状態で矩形の隣り合う２つの角部が落ちた形状であることによって、足や靴下やストッキングを傷つけるおそれを低減できる。【選択図】図２
0003206262.tif 000002
【実用新案登録請求の範囲】
【請求項１】
樹脂製で長尺状であり、長さ方向にｎ重に折り畳まれた状態（ｎは３以上の自然数）と、ｎ角形柱の状態とを自在に変形可能な板状部材からなり、
前記板状部材は、長さ方向にｎ重に折り畳まれた状態で、矩形の隣り合う２つの角部が落ちた形状であることを特徴とする、靴べら。
【請求項２】
前記板状部材には、所有者の情報が表示されるか、所有者の情報を記載するための欄が設けられることを特徴とする、請求項１に記載の靴べら。
【請求項３】
前記板状部材は、長さ方向に折り畳まれた状態で、名刺サイズであることを特徴とする、請求項１又は２に記載の靴べら。
【考案の詳細な説明】
【技術分野】
【０００１】
本考案は、靴やブーツを履いたり脱いだりするための靴べらに関する。
【背景技術】
【０００２】
一般に靴べらは、肉厚の硬質樹脂によって構成されている。靴べらはその用途から、通常は、玄関先などに置かれている。
【先行技術文献】
【非特許文献】
【０００３】
【非特許文献１】インターネット＜ＵＲＬ：https://ja.wikipedia.org/wiki/%E9%9D%B4%E3%81%B9%E3%82%89＞
【考案の概要】
【考案が解決しようとする課題】
【０００４】
しかしながら、上記従来の靴べらでは、肉厚の硬質樹脂によって構成されるため柔軟性がない。よって、足と靴との間に靴べらを挿入した際に、靴べらが足と靴との片に沿って変形しないため、足や靴にフィットがなく靴が履きにくいという問題があった。
【０００５】
そこで本考案は、このような問題に鑑みてなされたものであり、その目的とするところは、足や靴にフィットし靴が履きやすい、新規かつ改良された靴べらを提供することにある。
【課題を解決するための手段】
【０００６】
上記課題を解決するために、本考案によれば、樹脂製で長尺状であり、長さ方向にｎ重に折り畳まれた状態（ｎは３以上の自然数）と、ｎ角形柱の状態とを自在に変形可能な板状部材からなり、前記板状部材は、長さ方向にｎ重に折り畳まれた状態で、矩形の隣り合う２つの角部が落ちた形状であることを特徴とする、靴べらが提供される。
【０００７】
かかる構成によれば、板状の樹脂を折り畳んだ状態で使用することで、足や靴にフィットし靴が履きやすい。また、ｎ角形柱の状態にして自立させると、靴の中に入れたり靴の外に掛けたりしておくことで目印になり、靴べらを靴の間違い防止として利用することができる。また、折り畳まれた状態で矩形の隣り合う２つの角部（靴べらとして使う部分）が落ちた形状であることによって、足や靴下やストッキングを傷つけるおそれを低減できる。なお、ｎの値は、実際の製品としては厚みや強度などの点で３又は４が最適である。
【０００８】
本考案は様々な応用が可能である。以下の応用例は適宜組み合わせることが可能である。例えば、前記板状部材は、硬質樹脂製でも軟質樹脂製でもよいが、軟質樹脂製の方が好ましい。軟質樹脂製の板状部材を折り重ねることで、柔軟性の高い靴べらとなり、より容易に足や靴にフィットし靴が履きやすい。なお、ｎ重に折り畳まれることで、軟質樹脂製であっても十分な強度が得られる。
【０００９】
また、前記板状部材には、所有者の情報が表示されるか、所有者の情報を記載するための欄が設けられるようにしてもよい。このような構成により、靴べらの所有者が明らかになるとともに、ｎ角柱の状態にして靴の中に入れたり靴の外に掛けたりしておくと、所有者の情報（名前など）が見えて靴の所有者が明らかになる。
【００１０】
また、前記板状部材は、長さ方向に折り畳まれた状態で、名刺サイズであってもよい。靴べらを名刺入れや財布などに入れることができ携帯性が高い。また、靴べらとしても使いやすいサイズである。なお、長さ方向に折り畳まれた状態で、名刺サイズに限らず、一般的な長財布に入る大きさ（紙幣程度の大きさ）としてもよい。
【考案の効果】
【００１１】
本考案の靴べらによれば、足や靴にフィットし靴が履きやすい。本考案のその他の効果については、以下の考案を実施するための形態の項でも説明する。
【図面の簡単な説明】
【００１２】
【図１】靴べらを展開した状態を示す平面図である。
【図２】本考案の一実施形態にかかる靴べらの構成を示す図であり、（ａ）は正面図、（ｂ）は側面図、（ｃ）は背面図である。
【図３】靴べらを自立させた状態を示す図である。
【図４】靴べらの使用例を示す図である。
【図５】靴べらの別の使用例を示す図である。
【考案を実施するための形態】
【００１３】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１４】
まず、図１〜図３を参照しながら、本実施形態にかかる靴べら１００について説明する。図１は、靴べらを展開した状態を示す平面図である。図２は、靴べら１００の構成を示す図であり、（ａ）は正面図、（ｂ）は側面図、（ｃ）は背面図である。図３は、靴べらを自立させた状態を示す図である。
【００１５】
靴べら１００は、図１に示したように、長尺状の板状部材１１０からなる。板状部材１１０は、軟性ポリプロピレン（ＰＰ）製の薄板である。板状部材１１０の厚みは、一例として０．２ｍｍ程度である。一般に、薄板は、板厚の３乗に反比例して撓むことが知られており、靴べらとして適切な素材・厚みを採用することができる。そして、板状部材１１０は、以下に説明するように、長さ方向に３重に折り畳まれた状態（図２）と、３角形柱の状態（図３）とを自在に変形可能である。
【００１６】
（展開及び折り畳まれた状態）
板状部材１１０は、図１に示したように、４つの角部１１０ａが円弧状に形成されており、さらに、折り畳まれる部分に、２つの円弧を組み合わせた形状の切欠き１１０ｂが設けられている。板状部材１１０は、この４つの角部１１０ａ及び切欠き１１０ｂによって、図２（ａ）に示したように、長さ方向に３重に折り畳まれた状態で、４つの角部１００ａが落ちた形状となる。
【００１７】
このように、靴べら１００の角部１００ａが落ちた形状とすることにより、靴べら１００の縁部で指や足を切ったり、靴下やストッキングに靴べら１００が引っ掛かって破れたりすることが防止される。なお、板状部材１１０の４つの角部１１０ａや切り欠き１１０ｂは、対応する形であれば、必ずしも円弧上でなくてもよい。
【００１８】
なお、板状部材１１０には、さまざまな応用が可能である。例えば、折り畳まれる部分には、折り畳みやすいように何らかの加工（例えば、薄肉加工）を施してもよい。また、板状部材１１０の安全性を高めるために長さ方向の縁部を丸く加工してもよい。このような加工を施すことによって、より使い勝手のよい靴べら１００とすることができる。
【００１９】
靴べら１００は、図２（ａ）及び（ｂ）に示したように、長さ方向に３重で折り畳まれた状態で、名刺サイズ（約９１×５５ｍｍ）である。また、折り畳まれた板状部材１１０の外部に露出する端部１１２が、靴べら１００の長手方向の端部より若干短く構成されている。端部１１２は、靴べら１００の形状を変化させるときに指をかけやすくなっている。
【００２０】
また、靴べら１００の背面には、図２（ｃ）に示したように、長手方向において半分の領域に所有者の名前が表示されるか、所有者の名前を記載するための名前欄１１４が設けられる。名前欄１１４には、予め所有者の名前が印刷などによって表示されていてもよい。また、名前欄１１４は、油性ペンなどで所有者自身が名前を記載することができるような加工が施されていてもよい。なお、所有者の名前は、後述するように靴べら１００を３角形柱の状態にしたときに、判読が容易な面及び向きに表示することが好ましい。
【００２１】
（自立した状態）
靴べら１００は、図３に示したように、板状部材１１０の３辺の角度がほぼ同じになるように開くことによって、３角形柱が構成される。靴べら１００の形状をこのように変化させることにより、靴べら１００を自立させることができる。なお、板状部材１１０の端部の形状を変えたり、穴や溝などを形成したりすることによって、一種のロック機構を構成し、３重に折り畳まれた状態が維持されるようにしてもよい。
【００２２】
靴べら１００を自立させる向きは、板状部材１１０が底面になる方向（すなわち、３角形柱を寝かした状態となる方向）であってもよく、板状部材１１０が側面になる方向（すなわち、３角形柱を立てた状態となる方向）であってもよい。例えば、靴べら１００を靴の中に入れるときには、板状部材１１０が底面になる方向に自立させてもよく、靴べら１００を靴の外に掛けるときには、板状部材１１０が側面になる方向にしてもよい。このように、靴べら１００を靴の中に入れたり、靴に掛けたりすることによって、靴べら１００を、靴の目印として用いることができる。
【００２３】
以上、靴べら１００の構成について説明した。次に、靴べら１００の使用例について、図４及び図５を参照しながら説明する。
【００２４】
靴べら１００は、携帯するときには名刺入れの中や財布の中やバッグの中に収納することができる。靴べら１００を携帯しないときには、玄関先など任意の場所に置いておくことができる。
【００２５】
靴べら１００を通常に靴べらとして使用する場合について説明する。靴べら１００は、図４に示したように、一般的な靴べらと同様に、足ＦＴの踵と靴ＳＨの踵との間に、挿入して使用する。靴べら１００は、軟質樹脂製の薄い板を３重に折り畳んだ状態のものであるため、柔軟性があり、形状が変化しやすい。よって、靴べら１００は、足ＦＴや靴ＳＨにフィットし靴ＳＨが履きやすい。
【００２６】
次に、靴べら１００を３角形柱の形状に変化させると、靴べら１００を自立させることができる。そして、図５に示したように、靴べら１００を靴ＳＨの中に入れると、靴ＳＨの所有者を表示させることが可能である。
【００２７】
（本実施形態の効果）
以上説明したように、本実施形態の靴べら１００によれば、板状部材１１０を折り畳んだ状態で使用することで、足や靴にフィットし靴が履きやすい。また、３角形柱の状態にして自立させると、靴の中に入れたり靴の外に掛けたりしておくことで目印になり、靴べら１００を靴の間違い防止として利用することができる。また、折り畳まれた状態で靴べらとして使う部分の角部が落ちた形状であることによって、足や靴下やストッキングを傷つけるおそれを低減できる。
【００２８】
また、軟質樹脂製の板状部材１１０を折り重ねることで、柔軟性の高い靴べらとなり、より容易に足や靴にフィットし靴が履きやすい。なお、３重に折り畳まれることで、軟質樹脂製であっても十分な強度が得られる。
【００２９】
板状部材１１０には、所有者の名前が表示されるか、所有者の名前を記載するための名前欄１１４が設けられることで、靴べら１００の所有者が明らかになるとともに、３角形柱の状態にして靴の中に入れたり靴の外に掛けたりしておくと、所有者の名前が見えて靴の所有者が明らかになる。
【００３０】
また、板状部材１１０が、長さ方向に折り畳まれた状態で、名刺サイズであることにより、靴べら１００を名刺入れや財布などに入れることができ携帯性が高い。また、本来の靴べらとしても使いやすいサイズである。
【００３１】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００３２】
例えば、上記実施形態では、板状部材１１０を３重に折り畳んだ構成（ｎ＝３）について説明したが、本発明はこれに限定されない。４重以上に折り畳める構成でもよい。なお、靴べらが折り畳まれた形状を考慮すると、靴の中に入れるためには３重又は４重がよく、靴の外に掛けるためには３重以上がよい。実際の製品としては厚みや強度の点でも３重又は４重が最適である。なお、２重に折り畳んだ構成でもよい。この場合でも、靴べらを靴の中に立てることが可能である。
【００３３】
また、上記実施形態では、靴べら１００の４つの角部１００ａが落ちた形状となるような構成について説明したが、本発明はこれに限定されない。少なくとも、折り畳まれた状態で矩形の隣り合う２つの角部（靴べらとして使う部分）が落ちた形状であればよい。足や靴下やストッキングを傷つけるおそれを低減できる。
【００３４】
また、上記実施形態では、板状部材１１０を軟質樹脂製のものとしたが、本発明はこれに限定されず、硬質樹脂製のものであってもよい。また、軟質樹脂は軟性ポリプロピレン（ＰＰ）に限定されず任意の軟性樹脂を採用することができる。さらに、板状部材１１０の枚数や１枚あたりの厚みは、適宜設計可能である。
【００３５】
また、上記実施形態では、板状部材１１０に、所有者の名前が表示されるか、所有者の名前を記載するための名前欄１１４を設けたが、本発明はこれに限定されない。所有者の情報としては、名前以外の任意の情報を表示又は記載することができる。また、このような所有者の情報を表示しなくてもよい。また、他の靴べらと区別することを目的としては、靴べらの色やデザインを変えるようにしてもよい。
【００３６】
また、上記実施形態では、板状部材１１０は、長さ方向に折り畳まれた状態で、名刺サイズである場合について説明したが、本発明はこれに限定されず任意のサイズを採用できる。例えば、一般的な長財布に入る大きさ（紙幣程度の大きさ）としてもよい。
【産業上の利用可能性】
【００３７】
本考案は、靴べらに利用可能である。
【符号の説明】
【００３８】
１００  靴べら
１１０  板状部材
１１０ａ  角部
１１０ｂ  切り欠き
１１２  端部
１１４  名前欄
ＦＴ  足
ＳＨ  靴
【図１】
0003206262.tif 000003
【図２】
0003206262.tif 000004
【図３】
0003206262.tif 000005
【図４】
0003206262.tif 000006
【図５】
0003206262.tif 000007